(57)【要約】  【課題】同一のアンテナタワーに複数のアンテナがセットされ、同一のローテータで方向を変えるように構成された場合に、各アンテナの方向を容易に把握することのできるコントローラを提供すること。【解決手段】表示部５４においては、八木アンテナのビーム方向を示す第１指針５４１とダイポールアンテナのビーム方向を示す第２指針５４２が、実際のアンテナのビーム方向の角度差と同じに９０度シフトさせて同じ軸上にセットされている。前記第１指針５４１と第２指針５４２の先端付近にはそれぞれ発光ダイオードＤ１，Ｄ２を備え、八木アンテナ２が使用中の場合は発光ダイオードＤ１が点灯し、ダイポールアンテナ３が使用中の場合は発光ダイオードＤ２が点灯するように制御されている。【選択図】    図１
2007135240.tif 000002
【特許請求の範囲】
【請求項１】
ひとつのコントローラによって駆動されるひとつのアンテナローテータに異なる周波数帯用の複数のアンテナが、それぞれのビーム方向が相対的に所定の角度差をなすようにセットされたアンテナ装置に用いられるコントローラにおいて、
前記複数のアンテナのそれぞれのビーム方向を指示する複数の指針が、それぞれ対応するアンテナのビーム方向がなす前記所定の角度差と同じ角度差をなして備えられているとともに、
前記複数の指針のうち、選択切り換えされて現在使用中のアンテナに対応する指針を指示する指示手段を備えていることを特徴とするアンテナローテータのコントローラ。
【請求項２】
ひとつのコントローラによって駆動されるひとつのアンテナローテータに複数のアンテナが、それぞれのビーム方向が相対的に所定の角度差をなすようにセットされたアンテナ装置に用いられるコントローラにおいて、
前記角度差を記憶し、使用するアンテナの選択切り換えに応じて、アンテナのビーム方向を指示する指針の指示方向を、前記角度差に基づいて調整する調整手段を備えていることを特徴とするアンテナローテータのコントローラ。
【請求項３】
使用するアンテナの選択切り換えに応じて、指針の背景に表示される地図の縮尺を変更する変更手段を備えていることを特徴とする請求項１または２に記載のアンテナローテータのコントローラ。
【請求項４】
使用するアンテナの選択切り換えを、無線機におけるバンド切り換えと連動させる連動手段を備えたことを特徴とする請求項１、２、３項のいずれか１項に記載のアンテナローテータのコントローラ。
【発明の詳細な説明】
【技術分野】
【０００１】
本発明は、同一のアンテナタワーに複数のアンテナがセットされ、同一のローテータで方向を変えるように構成された場合に用いるコントローラに関するものである。
【背景技術】
【０００２】
アマチュア無線などでは、１本のアンテナタワーに、異なる周波数帯用の複数のアンテナを設置する場合がある。アンテナの設置条件の厳しい都市部のアマチュア無線家の場合は、例えば、４３０MHz 帯や１２００MHz 帯のように波長が短いが故に小型で利得が高く指向性がシャープな多素子の八木アンテナを、より波長の長いＨＦ帯のアンテナと同一のアンテナタワーに設置することも多い。
【発明の開示】
【発明が解決しようとする課題】
【０００３】
この場合、各アンテナのビーム方向（指向性の方向）をそれぞれのアンテナで同一方向になるように設置する。通常、ＨＦ帯での運用が多い場合は、図６に示したように、ローテータの指示器には、電波伝播のルートである大圏図の世界地図を組み込む場合が多い。ところが、この場合は、ＵＨＦ帯やＳＨＦ帯で運用した場合に、運用地点から相手局の正確な方向、あるいは山岳反射、回折などの特殊伝搬で運用する場合は、目的方向へ正確にアンテナを向けなければ指向性がシャープであるが故に交信不能となる。このため、ローテータの指示器には大圏図の世界地図ではなく、より精度の高い地方版の地図が要求されるが、指示器に設置する地図の速やかな交換・変更は従来不可能であったために、どちらか一方の周波数帯での運用の利便性が犠牲になるという欠点があった。
【０００４】
また、異なる周波数帯のＨＦ帯用の八木アンテナとダイポールアンテナを１本のアンテナタワーに設置する場合も少なくない。この場合、アンテナ間の垂直方向間隔がアンテナの目的周波数帯の１波長分の距離がなければアンテナ本来の能力を１００％は引き出せないが、物理的な制約があるために、実際は１／４波長あるいはそれ以下の間隔で設置しなければならない場合が多い。このようなとき、それぞれのアンテナのビーム方向が同一方向にセットされると相互に干渉しあうので、その影響を低減するために、図７に示したようにビーム方向を９０度ずらしてセットする場合が多い。
【０００５】
その場合、主たる運用者はそのアンテナの設置状況が充分把握できているので、指示器における指示方向が１方向のみであってもさほど問題が生じないが、ゲストオペレータとして運用する運用者などの場合は、アンテナのビーム方向を誤認することが多くなるという欠点があった。
【０００６】
そこで、本発明は、上述したような欠点を解決できるローテータの制御技術を提供することを目的としてなされたものである。
【課題を解決するための手段】
【０００７】
本発明の請求項１のアンテナローテータのコントローラは、ひとつのコントローラによって駆動されるひとつのアンテナローテータに異なる周波数帯用の複数のアンテナが、それぞれのビーム方向が相対的に所定の角度差をなすようにセットされたアンテナ装置に用いられるコントローラにおいて、
前記複数のアンテナのそれぞれのビーム方向を指示する複数の指針が、それぞれ対応するアンテナのビーム方向がなす前記所定の角度差と同じ角度差をなして備えられているとともに、
前記複数の指針のうち、選択切り換えされて現在使用中のアンテナに対応する指針を指示する指示手段を備えていることを特徴とするものである。
【０００８】
請求項２は、ひとつのコントローラによって駆動されるひとつのアンテナローテータに複数のアンテナが、それぞれのビーム方向が相対的に所定の角度差をなすようにセットされたアンテナ装置に用いられるコントローラにおいて、前記角度差を記憶し、使用するアンテナの選択切り換えに応じて、アンテナのビーム方向を指示する指針の指示方向を、前記角度差に基づいて調整する調整手段を備えていることを特徴とするものである。
【０００９】
請求項３は、請求項１または２において、使用するアンテナの選択切り換えに応じて、指針の背景に表示される地図の縮尺を変更する変更手段を備えていることを特徴とするものである。
【００１０】
請求項４は、請求項１、２、３項において、使用するアンテナの選択切り換えを、無線機におけるバンド切り換えと連動させる連動手段を備えたことを特徴とするものである。
【発明の効果】
【００１１】
このようにして、請求項１によれば、複数のアンテナに対応する複数の指針を備えているので、各アンテナのビーム方向を各指針で指示させることによって、把握することが容易になるという効果が得られ、選択切り換えされて現在使用中のアンテナに対応する指針を指示する指示手段を備えているので、アンテナのビーム方向を誤認することを防止できるという効果が得られる。
【００１２】
請求項２によれば、複数のアンテナのビーム方向の角度差に基づいて指針の向きを調整する調整手段を備えているので、一つの指針を複数のアンテナの指針として共用することが可能になる。
請求項３によれば、使用するアンテナの選択切り換えに応じて、指針の背景に表示される地図の縮尺を変更する変更手段を備えているので、選択されたアンテナに適した縮尺に自動的に変更することにより、優れた操作性が得られる。
【００１３】
請求項４によれば、アンテナの選択切り換えを、無線機におけるバンド切り換えと連動させる連動手段を備えたので、無線機におけるバンド切り換え操作のみでアンテナが切り換えられるとともに指針も自動的に切り換えられ、優れた操作性が得られる。
【発明を実施するための最良の形態】
【００１４】
以下に、本発明にかかるアンテナローテータのコントローラを、その実施の形態を示した図面に基づいて詳細に説明する。
【００１５】
全体構成を示した図１において、１はアンテナタワーであり、そのマスト１１には八木アンテナ２とダイポールアンテナ３とがビーム方向を９０度シフトさせてセットされている。４は前記マスト１１の基部に設置されたローテータ、５はこのローテータ４を制御するコントローラである。
６は前記八木アンテナ２とダイポールアンテナ３とを選択切り換えして使用する無線機である。この無線機６と前記八木アンテナ２とダイポールアンテナ３とは高周波信号を伝送する同軸ケーブル７で接続され、前記ローテータ４とコントローラ５とは、ローテータ４のモータを駆動するためのモータ制御信号と、ローテータ４に設置された角度検出手段（後述）から出力される角度信号とを伝送する制御ケーブル８で接続され、前記無線機６とコントローラ５とは無線機６におけるバンド（周波数帯）切り換え信号をコントローラ５へ伝送する接続ケーブル９で接続されている。
【００１６】
以下に、図１の要部の詳細構成を図２に基づいて説明する。
ローテータ４は、各アンテナがセットされたマスト１１を回転させるモータ４１と、ロータリーエンコーダ等によってマスト１１の回転角度を検出する角度検出手段４２とを備えている。
コントローラ５は、マイクロコンピュータ等の制御回路で構成された制御手段５１と、制御手段５１と接続されて八木アンテナ２とダイポールアンテナ３のビーム方向の角度差（この場合は９０度）等のデータが記憶されているメモリ５２と、ローテータの回転方向等の指示を行う操作部５３と、各アンテナのビーム方向等を表示する表示部５４とを備えている。
【００１７】
ここで、接続ケーブル９と制御手段５１とは、請求項５の連動手段に対応する構成となっている。
【００１８】
次に、コントローラ５の操作部５３と表示部５４とを図３に基づいて説明する。
操作部５３には、ローテータ４の回転方向を指示するための右回転スイッチ５３１と左回転スイッチ５３２および八木アンテナ２とダイポールアンテナ３のいずれか一方に選択切り換えするためのアンテナ切り換えスイッチ５３３を備えている。右回転スイッチ５３１を押すと、離すまでマスト１１はモータによって右回転するので、アンテナは右回転する。左回転スイッチ５３２を押すと、離すまでマスト１１はモータによって左回転するので、アンテナは左回転する。このようにして、表示部５４の指針を見ながらアンテナを所望の方向へ向けることができるのである。
【００１９】
使用するアンテナは前記アンテナ切り換えスイッチ５３３で選択切り換えすることもできるが、無線機６からのバンド切り換え信号９に基づいて自動的に切り換えることも可能である。
表示部５４においては、八木アンテナ２に対応した第１指針５４１とダイポールアンテナ３に対応した第２指針５４２が、９０度シフトさせて同じ軸上にセットされている。前記第１指針５４１と第２指針５４２の先端付近にはそれぞれ発光ダイオードＤ１，Ｄ２を備え、八木アンテナ２が使用中の場合は発光ダイオードＤ１が点灯し、ダイポールアンテナ３が使用中の場合は発光ダイオードＤ２が点灯するように制御されている。なお、第１指針５４１と第２指針５４２とを異なる色で着色し、区別しやすくしても良い。ここで、これらの発光ダイオードＤ１，Ｄ２は請求項２の指示手段に対応する構成である。
【００２０】
角度検出手段４２から伝送されてくる角度信号に基づいて前記第１指針５４１と第２指針５４２とは９０度シフトした状態のままで回転する。例えば、八木アンテナ２のビーム方向が北を向いているときに前記第１指針５４１が表示部５４においては真上を向き、ダイポールアンテナ３のビーム方向は９０度シフトして東を向いているので前記第２指針５４２は表示部５４において右を向くように初期設定されている。
【００２１】
表示部５４の背景５４３には当該アンテナが設置されている運用地点を中心とした地図が表示されている。
以上の構成によって、ローテータ４を所望の方向に回転させて、表示部５４の指針を見ながら、選択されたアンテナのビーム方向を希望する方角へ向けることが容易に行える。しかも、二つのアンテナのビーム方向を指し示す指針をそれぞれ備えているので、いずれのアンテナを使用しているときでも、確実に間違いなくアンテナのビーム方向を知ることができるようになった。さらに、現在使用中のアンテナがいずれのアンテナであるかを指示する発光ダイオードを備えているので誤認することも防止できる。
【００２２】
図４は一つの指針５４４を二つのアンテナの指針として共用する場合の構成例を示したものである。
この場合は、二つのアンテナのビーム方向のシフト角度（例えば９０度）が、コントローラ５のメモリ５２に予め記憶されており、アンテナ切り換えスイッチ５３３によってアンテナが切り換えられると、角度信号に基づいた指針の方向を自動的に９０度シフトさせた位置へ移動させて、選択されたアンテナのビーム方向に合致した方向に指針を向ける。このとき、前記コントローラ５のメモリ５２と制御手段５１とは、請求項３の調整手段に対応する構成である。
【００２３】
図５は表示部を液晶表示装置等のグラフィック表示装置で実現した構成例を示したものである。
この場合は、指針の表示については、上述したように各アンテナごとに独立した指針を表示しても、一つの指針を各アンテナで共用しても、いずれかに切り換えるように構成してもよい。
【００２４】
５４５はグラフィック表示装置であり、指針と地図が表示されている。ここに表示される指針の表示パターンおよび地図の表示データは、運用地点の位置情報（緯度、経度等）とともにコントローラ５のメモリ５２に記憶されている。
そして、指針の背景として運用地点を中心とする地図が表示される。そして、各アンテナの使用周波数帯に応じて、表示される地図の縮尺を連動して切り換える。例えば、長距離通信に適したＨＦ帯用のアンテナの場合は小縮尺に切り換えて広い範囲を表示し、短距離通信に適したＵＨＦ帯やＳＨＦ帯用のアンテナの場合は大縮尺に切り換えて狭い範囲を詳細に表示することにより、目的とする方向に調整することが容易になる。
【００２５】
そして、アンテナ切り換えスイッチを操作することにより、指定されたアンテナのビーム方向が、指針によって表示されるとともに、背景の地図も予め記憶された縮尺に変更される。
ここで、前記コントローラ５とグラフィック表示装置５４５とは、請求項４の変更手段に対応する構成となっている。
【００２６】
なお、アンテナの数は２本に限らず、３本以上のアンテナをセットして、それぞれの指針を備えるようにしたり、共用するようにしてもよい。
また、メモリ５２としては半導体メモリに限らずＣＤ−ＲＯＭや各種の記憶手段を用いて記憶容量を増やしてもよい。
【図面の簡単な説明】
【００２７】
【図１】本発明にかかるアンテナローテータのコントローラの実施の形態の使用状態の全体構成を示した構成図である。
【図２】図１の要部の詳細構成図である。
【図３】コントローラの表示部と操作部の正面図である。
【図４】別の実施の形態のコントローラの表示部と操作部の正面図である。
【図５】さらに別の実施の形態のコントローラの表示部と操作部の正面図である。
【図６】従来例のコントローラの表示部の正面図である。
【図７】二つのアンテナをセットする場合の説明図である。
【符号の説明】
【００２８】
１ アンテナタワー
２ 八木アンテナ
３ ダイポールアンテナ
４ ローテータ
５ コントローラ
６ 無線機
９ 接続ケーブル
４１ モータ
４２ 角度検出手段
５１ 制御手段
５２ メモリ
５３ 操作部
５４ 表示部
９、５１ 連動手段
５３１ 右回転スイッチ
５３２ 左回転スイッチ
５３３ アンテナ切り換えスイッチ
５４１ 第１指針
５４２ 第２指針
Ｄ１ 発光ダイオード（指示手段）
Ｄ２ 発光ダイオード（指示手段）
５１、５２ 調整手段
５４５ グラフィック表示装置
５、５４５ 変更手段
【図１】
2007135240.tif 000003
【図２】
2007135240.tif 000004
【図３】
2007135240.tif 000005
【図４】
2007135240.tif 000006
【図５】
2007135240.tif 000007
【図６】
2007135240.tif 000008
【図７】
2007135240.tif 000009